(57)【要約】【課題】実施し易く、再現性のある、また修理作業中に簡単なやり方でバランス調整が可能なバランス調整用配置を有するユニバーサルジョイント、及びバランスウェイトを提供する。【解決手段】本発明では、各ヨークアーム３は穴軸１０に芯合わせされた支持穴５を有し、支持穴５は溝１１を有する。ジャーナルクロスアセンブリーは互いに直交する四つのジャーナルと、それぞれ底部１５と外面１６を有する軸受けブッシュ８とを備える。これらの中にジャーナル７がそれぞれ支持される。各軸受けブッシュ８は支持穴５の中に受容され、溝１１に係合する保持リング１７により固定され、バランスウェイト８により保持リング１７と底部１５の外面との間で保持される。これは穴軸１０に関して半径方向に外側に輪帯固定部２１を有し、これに続き、穴軸に関して半径方向に内側に向かってより厚いバランス調整質量部２３を有する。【選択図】　　　　図２
2004003662.tif 000002
【特許請求の範囲】
【請求項１】
バランスユニバーサルジョイントであって、
それぞれが二つのヨークアーム（３、４）を有し、その中にそれぞれ共通の穴軸に芯合わせされた溝（１１）付きの支持穴（５）を有する二つのジョイントヨークと、
軸が互いに直交する共通穴軸（１０）にそれぞれ二つが配置された四つのジャーナル（７）と、それぞれ中にジャーナル（７）が支持された、それぞれ底部（１５）と外面（１６）を有する軸受けブッシュ（８）とを有し、それぞれ軸受けブッシュ（８）が支持穴（５）に受容されるジャーナルクロスアセンブリー（６）と、
軸受けブッシュ（８）を固定しかつこれが支持穴（５）の溝（１１）に係合する役目をする、各支持穴（５）に付いている保持リング（１７）と、
円板として形成され、底部（１５）と保持リング（９）の間に配置された固定部（２１）を穴軸（１０）に対して半径方向の外側に有し、かつバランス不良をバランス調整する重りに代表されるバランス調整質量部（２３）を有するバランスウェイト（１８）と、
を備えるバランス調整配置を有するバランスユニバーサルジョイント。
【請求項２】
外側円周面（１９）と、少なくとも部分的に平坦な面（２０）と、前記面（２０）から離れて面しかつ外側円周面（１９）から始まる輪帯面（２２）と、輪帯面（２２）の内側方向に配置されかつ平坦面から離れて面するバランス用塊部としての突起とを有する円板として形成されることを特徴とするユニバーサルジョイント用バランスウェイト。
【請求項３】
外側円周面（１１９）と、少なくとも部分的に平坦な面（１２０）と、前記面（１２０）から離れて面しかつ外側円周面（１２２）から始まる輪帯面（１２２）と、輪帯面（１２２）の内側方向に配置され、円周方向に分布した、バランス調整質量部（１２３）を形成する断片とを有する円板として形成されることを特徴とするユニバーサルジョイント用バランスウェイト。
【発明の詳細な説明】
【０００１】
【発明の属する技術分野】
本発明は、バランス調整配置を有するユニバーサルジョイントおよびこの配置のためのバランスウェイトに関する。
【０００２】
【従来の技術】
ユニバーサルジョイントのためのバランス調整配置は、例えば特許文献１に開示されている。そのユニバーサルジョイントのためのバランス調整配置は、接続管とともに別の固定リングがユニバーサルジョイントに固定される。固定リングは離れた接続管の部分的な長さの部分を囲む。固定リングの外面に種々の重さの個々のバランスウェイトが点溶接により固定できる。
【０００３】
【特許文献１】
欧州特許第０３８５１７６Ａ１号
【０００４】
【発明が解決しようとする課題】
しかしながら、この配置では特にユニバーサル軸の修理中およびバランス調整のやり直し中に破壊しないで分解することができない。さらに、バランスウェイトを溶接する特別な装置が必要であるので、そのような具体化に関して大きな費用を要する。不完全な取り付けはバランスウェイトとの結合の破壊のみにより修正できる。さらにユニバーサルジョイント自体に最大のバランス不良がある場合に、バランスウェイトの取り付けの役目をする固定リングの位置出しは最適な方法ではない。実際に接続管が設けられない短いユニバーサルジョイントカプリングにおいて、重さの除去は今まで穴あけのみにより可能であり、これは弱化を生じるという欠点を有する。
【０００５】
本発明の目的は、実施し易く、再現性のある、また修理作業中に簡単なやり方でバランス調整が可能なバランス調整用配置を有するユニバーサルジョイントを提供することにある。さらに、本発明の目的は、この配置のためのバランスウェイトを提供することにある。
【０００６】
【課題を解決するための手段】
この目的を達成するための本発明に係るユニバーサルジョイントは、
それぞれが二つのヨークアームを有し、その中にそれぞれ共通の穴軸に芯合わせされた溝付きの支持穴を有する二つのジョイントヨークと、
軸が互いに直交する共通穴軸にそれぞれ二つが配置された四つのジャーナルと、それぞれ中にジャーナルが支持された、それぞれ底部と外面を有する軸受けブッシュとを有し、それぞれ軸受けブッシュが支持穴に受容されるジャーナルクロスアセンブリーと、
軸受けブッシュを固定しかつこれが支持穴の溝に係合する役目をする、各支持穴に付いている保持リングと、
円板として形成されて、底部と保持リングの間に配置された固定部を穴軸に対して半径方向の外側に有し、かつバランス不良をバランス調整する重りに代表されるバランス調整質量部を有するバランスウェイトと、
を備えるバランス調整配置を有するものである。
【０００７】
この実施形態の利点は、ユニバーサルジョイント軸またはユニバーサルジョイントにおけるバランス不良が集中する場所にバランスウェイトが取り付けられることである。さらに、バランスウェイトが着脱自在に取り付けられるので、修理の場合に、より容易な再バランス調整が可能であることは有利である。同時に、バランス調整中に種々の重さを有するバランスウェイトを交換することによりバランス調整精度を容易に向上することができる。さらに、ユニバーサルジョイントを調整すること、すなわち軸受けブッシュを受容する穴に対して調整することにより、本来生じるバランス不良がバランス調整される。
【０００８】
本発明によって提供される一つの実施形態において、バランスウェイトが、軸受けブッシュの底部に隣接する真平な前面を有する、外側円周面をもつ円板であって、その前面から離れて上から見た場合、前面に対して平行でかつ外側円周面とつながって広がる輪帯面をもつ円板であり、またそのバランスウェイトは断面で見ると、その輪帯面を越えて突き出ている、バランス調整質量部である突起を中央に有することが提案される。その代わりとして、内側円周に断片を有し、バランス調整質量部を形成する輪帯円板としてバランスウェイトが形成されることが提案される。
【０００９】
好ましくは、バランス調整質量部が輪帯面から半径方向に穴軸に向かって緩やかに増加する突起により代表されることが提案される。
【００１０】
バランスウェイトは好ましくは高密度の金属でできている。
【００１１】
また、本発明の目的は、さらに、外側円周面と、少なくとも部分的に平坦な面と、その面から離れて面しかつ外側円周面から始まる輪帯面と、輪帯面の内側方向に配置されかつ平坦面から離れて面するバランス調整質量部としての突起とを有する円板として形成されるユニバーサルジョイント用のバランスウェイトにより解決される。ユニバーサルジョイントに非常に容易に取り付けできるバランスウェイトが提供される。
【００１２】
あるいは、本発明に基づいて、外側円周面と、少なくとも部分的に平坦な面と、前記面から離れて面しかつ外側円周面から始まる輪帯面と、輪帯面の内側方向に配置され、円周方向に分布した、バランス調整質量部を形成する断片とを有する円板として形成されるバランスウェイトにより目的は解決される。
【００１３】
本発明によるバランス調整配置を有するユニバーサルジョイントが設けられるユニバーサルジョイント軸、および異なる設計の二つのバランスウェイトが、模式的に図面に示され、それを使って詳細に説明される。
【００１４】
【発明の実施の形態】
図１は、第１のユニバーサルジョイント１と、第１のヨークアーム３とそれから離れた第２のヨークアーム４とを有する第１のジョイントヨーク２とを有するユニバーサルジョイント軸を示す。両方のヨークアームを通って、それぞれ、支持穴５が伸びている。両方の支持穴５は穴軸１０に芯合わせされている。二つのヨークアーム３、４の支持穴５の中に、ジャーナル７に支持された軸受けブッシュ８が受容される。これらはジャーナルクロス６と共にジャーナルクロスアセンブリーの第１の半分を形成する。ジャーナルクロス６はさらに、さらなる二つのジャーナルを有し、それは第１のジャーナル７に垂直に配置され、またこれらと共に同一平面内に配置される。
【００１５】
支持穴５の中に溝１１が設けられる。この溝１１の中に保持リング９が収まり、穴軸１０に沿って軸受けブッシュ８を支持する。軸受けブッシュも支持するジャーナルクロスの二つのさらなるジャーナルが、第１のジョイントヨーク２に関連して述べた配置に対応する第２のジョイントヨーク１２のヨークアームに保持される。上記のコンポーネントは共に第１のユニバーサルジョイント１を形成する。ユニバーサルジョイント１に対応する第２のユニバーサルジョイント１３は第１のヨーク２から離れた接続軸１４の端部に配置され、その接続軸１４は望遠鏡式に長さ調整を可能にする。
【００１６】
次に、バランス調整配置を図２を用いて説明する。図２は支持穴５を有する、図１の詳細Ｘに従う第１のジョイントヨーク２の第１のヨークアーム３の部分を示す。支持穴５は穴軸１０を有する。支持穴５に中にジャーナルクロス６のジャーナル７が回転部材と軸受けブッシュ８の介在により受容される。軸受けブッシュ８は外面１６を有する底部１５を有する。支持穴５の中に穴軸１０の周りに伸びる溝１１が底部１５の領域に付けられる。この配置は溝１１に係合する保持リング１７を備える。さらに、この配置は円形の外円周面１９を有する、円板として形成されたバランスウェイト１８を備える。
【００１７】
バランスウェイト１８は図２の穴軸１０に関して回転対称に形成され、平坦面２０を有し、その面においてバランスウェイトが軸受けブッシュ８の底部１５の外面１６に隣接する。外円周面１９から始まって、バランスウェイト１８は先ず、平坦面２０、外円周面１９により、また平坦面２０に平行で、距離Ｓだけ離れて配置された輪帯面２２により限定される固定部２１を有する。輪帯面２２は保持リング９の上に支持される。輪帯面２２は穴軸１０に関して半径方向に保持リング９により部分的に覆われる。突起として形成されるバランス調整質量部２３が、穴軸１０に向う方向に輪帯面２２とつながって形成される。輪帯面２２から緩やかに始まる傾斜が設けられる。異なる高さの突起はそれぞれ異なるバランス調整質量部２３または２３’、従って異なる重さのバランスウェイトを提供する。異なるバランス調整質量部２３または２３’を有するバランスウェイト１８を選択することにより、支持穴５の領域に生じたバランス不良が支持穴５の領域にバランスウェイト１８を取り付けることによりバランス調整できる。バランス調整中に、バランス不良を決定するために、その直径範囲全体に渡り厚さＳを有する円板が先ず挿入される。バランス不良の決定の後に、この円板は取り外され、適宜決定されたバランス調整質量部を有するバランスウェイト１８と取り替えられる。保持リング９とバランスウェイト１８によりジャーナルクロス６は第１のジョイントヨークの二つのアーム３、４の間に穴軸１０の方向に中心に保持される。
【００１８】
図３にバランスウェイトの他の実施形態が示される。この場合、バランスウェイトとその部分領域に対して図２の実施形態の参照数字に比較して１００を加えた参照数字が選ばれる。説明に関して、図１と図２がそれぞれ参照される。異なる構成のみが以下に述べられる。
輪帯円板として形成されたバランスウェイト１１８の固定部１２１に対して断片が穴軸１０の中に半径方向に接続され、かつその周りに円周方向に分布され、それがバランス調整質量部１２３を形成する。断片はこの場合、いくつかのリング部が形成され、必要なバランス調整量を生み出すように取り外しできるような方式で形成される。
【００１９】
本発明に係るバランス調整配置を有するユニバーサルジョイントおよびそのためのバランスウェイトの構成の特徴部分を説明する。
【００２０】
▲１▼　バランスユニバーサルジョイントであって、
それぞれが二つのヨークアーム（３、４）を有し、その中にそれぞれ共通の穴軸に芯合わせされた溝（１１）付きの支持穴（５）を有する二つのジョイントヨークと、
軸が互いに直交する共通穴軸（１０）にそれぞれ二つが配置された四つのジャーナル（７）と、それぞれ中にジャーナル（７）が支持された、それぞれ底部（１５）と外面（１６）を有する軸受けブッシュ（８）とを有し、それぞれ軸受けブッシュ（８）が支持穴（５）に受容されるジャーナルクロスアセンブリー（６）と、
軸受けブッシュ（８）を固定しかつこれが支持穴（５）の溝（１１）に係合する役目をする、各支持穴（５）に付いている保持リング（１７）と、
円板として形成され、底部（１５）と保持リング（９）の間に配置された固定部（２１）を穴軸（１０）に対して半径方向の外側に有し、かつバランス不良をバランス調整する重りに代表されるバランス調整質量部（２３）を有するバランスウェイト（１８）と、
を備えるバランス調整配置を有するバランスユニバーサルジョイント。
【００２１】
▲２▼　バランスウェイト（１８）が、軸受けブッシュの底部に隣接する真平な前面（２０）を有する、外側円周面（１９）をもつ円板であって、その前面から離れて上から見た場合、前面（２０）に対して平行でかつ外側円周面（１９）とつながって広がる輪帯面をもつ円板であり、またそのバランスウェイトは断面で見ると、その輪帯面（２２）を越えて突き出ている、バランス調整質量部（２３）である突起を中央に有することを特徴とする上記▲１▼に記載のユニバーサルジョイント。
【００２２】
▲３▼　バランス調整質量部（２３）が半径方向に輪帯面（２２）から穴軸（１０）に向かって緩やかに増加する突起により代表されることを特徴とする上記▲２▼に記載のユニバーサルジョイント。
【００２３】
▲４▼　バランスウェイト（１１８）が内側円周にバランス調整質量部（１２３）を形成する断片を有する輪帯円板として形成されることを特徴とする上記▲１▼に記載のユニバーサルジョイント。
【００２４】
▲５▼　外側円周面（１９）と、少なくとも部分的に平坦な面（２０）と、前記面（２０）から離れて面しかつ外側円周面（１９）から始まる輪帯面（２２）と、輪帯面（２２）の内側方向に配置されかつ平坦面から離れて面するバランス用塊部としての突起とを有する円板として形成されることを特徴とするユニバーサルジョイント用バランスウェイト。
【００２５】
▲６▼　外側円周面（１１９）と、少なくとも部分的に平坦な面（１２０）と、前記面（１２０）から離れて面しかつ外側円周面（１２２）から始まる輪帯面（１２２）と、輪帯面（１２２）の内側方向に配置され、円周方向に分布した、バランス調整質量部（１２３）を形成する断片とを有する円板として形成されることを特徴とするユニバーサルジョイント用バランスウェイト。
【００２６】
【発明の効果】
以上説明したように、本発明によれば、実施し易く、再現性のある、また修理作業中に簡単なやり方でバランス調整が可能なバランス調整用配置を有するユニバーサルジョイントを提供することができる。さらに、この配置のためのバランスウェイトを提供することができる。
【図面の簡単な説明】
【図１】発明によるバランス調整配置を有するユニバーサルジョイントを示す。
【図２】図１のＸの詳細の断面図を拡大して示す。
【図３】図２のＸの詳細に対応し、しかし異なる設計のバランス調整質量部を有する図を示す。
【符号の説明】
１　第１のユニバーサルジョイント
２　第１のジョイントヨーク
３　第１のヨークアーム
４　第２のヨークアーム
５　支持穴
６　ジャーナルクロス
７　ジャーナル
８　軸受けブッシュ
９　保持リング
１０　穴軸
１１　溝
１２　第２のジョイントヨーク
１３　第２のユニバーサルジョイント
１４　接続軸
１５　底部
１６　外面
１７　保持リング
１８、１１８　バランスウェイト
１９、１１９　外円周面
２０、１２０　面
２１、１２１　固定部
２２、１２２　輪帯面
２３、２３’、１２３　バランス調整質量部
【図１】
2004003662.tif 000003
【図２】
2004003662.tif 000004
【図３】
2004003662.tif 000005